(57)【特許請求の範囲】
【請求項１】
室内の一部空間を囲うためのエアーカーテンを形成する吹出口を有すると共に前記室内に自在に設置可能としたパイプ式エアーカーテン発生機と、
前記エアーカーテンにて囲った一部空間内に在り且つ前記吹出口から吹き出すエアーの非干渉位置に配設した吸引口を有したエアー吸引部と、前記一部空間内に配設した排出口を有し前記エアー吸引部にて吸引したエアーを、前記一部空間を構成する天井、床及び壁の少なくとも１つに這わせてこれらと前記エアーカーテンとの隙間を通して前記一部空間外に排出するエアー排出部と、前記吸引口と前記排出口との間に設けた空気清浄部とを具備する空気清浄機と、
の組み合わせからなり、前記空気清浄機の排出口から前記一部空間外へのエアー排出量を少なくとも前記エアーカーテンによる外部巻込エアー量よりも大となるように設定し、前記一部空間内を負圧状態にすると共に喫煙空間としたことを特徴とする喫煙空間創設システム。
【請求項２】
前記エアー排出部の排出口に、これからのエアーを前記一部空間を構成する天井、床及び壁の少なくとも１つに這わせ前記一部空間外に導き排出するためのガイドを、設けた請求項１記載の喫煙空間創設システム。
【請求項３】
前記空気清浄機は前記床上を移動自在である請求項１記載の喫煙空間創設システム。
【請求項４】
前記エアー排出量は、前記エアーカーテンによる外部巻込エアー量の２倍よりも大となるように設定した請求項１、２又は３記載の喫煙空間創設システム。
【請求項５】
前記パイプ式エアーカーテン発生機は、パイプに吸込口及び吹出口を設けると共にパイプ内に送風機を設けてなる請求項１、２、３又は４記載の喫煙空間創設システム。
【請求項６】
前記吹出口は、その吹出方向を変換出来る請求項５記載の喫煙空間創設システム。
【発明の詳細な説明】
【０００１】
【発明の属する技術分野】
本発明は、建築物、航空機、車両等の室内に仕切りを作ったり障害物を設置したりせずに、エアーカーテンにより室内の一部空間を囲い、その一部空間内を喫煙空間にして喫煙空間外の室内に煙や臭いを直接出さないようにした喫煙空間創設システムに関する。
【０００２】
【従来の技術】
従来、室内の一部を仕切ってその場所を喫煙ブースや喫茶室にする方法として、つい立てを使用する場合が多い。このつい立てはあくまで間仕切りが目的であるから、上部空間からエアーが流出入するため内部あるいは外部の汚染されたエアー（煙草の煙、排気ガス、浮遊粉塵、有害ガス）や悪臭が流出入する弊害が生じる。
【０００３】
そこで、この弊害を防止するため、図１５に示すようなエアーカーテン発生装置を内蔵したつい立てがある。このつい立てａは、送風機ｂを内蔵し上部にエアーカーテンを形成する吹出口ｃを設置し、更に側面に吸引口ｄを設置してなる。このつい立てａにて吸引口ｄを内側にして室内の一部を囲う。更に、このつい立てａの設置場所上方の天井ｅには吸引ファンｆを設置している。送風機ｂを作動させて吹出口ｃからエアーを吹き出しエアーカーテンｇを形成して床ｈ、天井ｅ、つい立てａ等と相まって一部空間ｉをつくり、この一部空間ｉ内のエアーを天井ｅの吸引ファンｆにて外部に排出して一部空間ｉ内を負圧にして、室内の他の空間に汚染エアーや悪臭を流出しないようにしている。
【０００４】
また、図１６に示すような喫煙ユニット（実開平７−３５９２７号公報参照）がある。この喫煙ユニットは、天井ｅの周囲に吹出口ｃがあり天井部ｊの中央部に吸引口ｄがあって、吹出口ｃからのエアーカーテンｇにより床ｈ、天井部ｊと相まって一部空間ｉをつくり、この一部空間ｉ内のエアーを天井部ｊの吸引口ｄにて吸引排出して一部空間ｉ内を一時的に負圧にして、室内の他の空間に煙や悪臭を流出しないようにし、天井部ｊ内にある空気清浄機により消浄エアーとして再び吹出口ｃから吹き出し、循環させているものである。
【０００５】
【発明が解決しようとする課題】
しかしながら、上述の図１５に示す例では、部屋の一部をつい立てａにて仕切って、直ぐにその場所を喫煙ブースや喫茶室にすることは出来ても、人の往来するような所に簡易的に作ることが出来ず、見通しもきかない結果となる。
【０００６】
また、図１６の喫煙ユニットは、天井部ｊを支持する柱ｋが必要となり、更に、天井ｅに吊るすようなタイプにしても、一部空間ｉ内を一時的に負圧状態にすることが出来ても、中央部にある吸引口ｄから吸い込んだエアーは、その全量を再び吹出口ｃからのエアーカーテンｇとするから、結局は一部空間ｉ内を恒常的に負圧状態にすることが出来ず、室内の他の空間に煙や悪臭が流出してしまい良好な喫煙空間となりずらい。
【０００７】
そこで、本発明は、上記事情に鑑みてなされたもので、室内に仕切りを作ったり障害物を設置したりせず、室内の一部空間内を安定した負圧状態に保持して、煙を一部空間内から流出させないで室外に排出したり、清浄化して室内に戻し循環することのできる喫煙空間創設システムを提供することを課題とする。
【０００８】
【課題を解決するための手段】
上記課題を解決するため、請求項１記載の発明は、室内の一部空間を囲うためのエアーカーテンを形成する吹出口を有すると共に前記室内に自在に設置可能としたパイプ式エアーカーテン発生機と、
前記エアーカーテンにて囲った一部空間内に在り且つ前記吹出口から吹き出すエアーの非干渉位置に配設した吸引口を有したエアー吸引部と、前記一部空間内に配設した排出口を有し前記エアー吸引部にて吸引したエアーを、前記一部空間を構成する天井、床及び壁の少なくとも１つに這わせてこれらと前記エアーカーテンとの隙間を通して前記一部空間外に排出するエアー排出部と、前記吸引口と前記排出口との間に設けた空気清浄部とを具備する空気清浄機と、
の組み合わせからなり、前記空気清浄機の排出口から前記一部空間外へのエアー排出量を少なくとも前記エアーカーテンによる外部巻込エアー量よりも大となるように設定し、前記一部空間内を負圧状態にすると共に喫煙空間としたことを特徴とする。したがって、この特徴によれば、エアーカーテンの形成機能のみを有するパイプ式エアーカーテン発生機により、これ自身は室内を囲う機能が無く唯一吹出口からのエアーカーテンによって室内の一部空間を囲い、この一部空間内に空気の清浄機能のみを有する空気清浄機を設置し、その排出口からの清浄エアーを天井、床及び壁の少なくとも１つとエアーカーテンとの隙間を通して一部空間外に出し、そのエアー排出量を少なくともエアーカーテンによる外部巻込エアー量よりも大にして、一部空間内を負圧状態に保持し、これを喫煙空間にして煙を流出させず清浄化してから喫煙空間外の室内に出して室内エアーの循環ができ、更に、吹出口の非干渉位置に排出口があるから、エアーカーテンを安定して形成でき、喫煙空間内の煙草の煙が室内の他の空間に出ない。
【０００９】
請求項２記載の発明は、前記エアー排出部の排出口に、これからのエアーを前記一部空間を構成する天井、床及び壁の少なくとも１つに這わせ前記一部空間外に導き排出するためのガイドを、設けたことを特徴とする。したがって、この特徴によれば、排出口から一部空間内に排出した清浄エアーを、ガイドにより方向性を付与し、天井、床及び壁の少なくとも１つに這わせてこれらとエアーカーテンとの隙間を通して一部空間外にスムーズに排出する。
【００１０】
請求項３記載の発明は、前記空気清浄機は前記床上を移動自在であることを特徴とする。したがって、この特徴によれば、排出口からの清浄エアーを床とエアーカーテンとの隙間から一部空間外に排出することを考慮すれば、空気清浄機を喫煙空間内の床上で自在に移動設置できる。
【００１１】
請求項４記載の発明は、前記エアー排出量は、前記エアーカーテンによる外部巻込エアー量の２倍よりも大となるように設定したことを特徴とする。したがって、この特徴によれば、エアー排気量が多いから、喫煙空間内の負圧状態が安定し、煙草の煙が喫煙空間外の室内に出ない。
【００１２】
請求項５記載の発明は、前記パイプ式エアーカーテン発生機は、パイプに吸込口及び吹出口を設けると共にパイプ内に送風機を設けてなることを特徴とする。したがって、この特徴によれば、吸込口及び吹出口からエアーを均一に吸い込み吹き出せるから、均一なエアーカーテンを得る。
【００１３】
請求項６記載の発明は、前記吹出口は、その吹出方向を変換出来ることを特徴とする。したがって、この特徴によれば、パイプ式エアーカーテン発生機の設置状況に対応して吹出口の吹き出し方向を変換して、室内の一部空間を囲う。
【００１４】
【発明の実施の形態】
以下、本発明の実施の形態を図１〜１４に基づいて詳述する。
図１は本発明の実施の形態である喫煙空間創設システムを示す平面図、図２は図１の矢線Ａ方向から見た側面図である。両図において、１は喫煙空間創設システムを示し、この喫煙空間創設システム１は、室内２の一部空間３を囲うためのエアーカーテン４を形成する吹出口５を有すると共に室内２に自在に設置可能としたパイプ式エアーカーテン発生機６と、エアーカーテン４にて囲った一部空間３内に在り且つ吹出口５から吹き出すエアーの非干渉位置に配設した吸引口３７を有したエアー吸引部３２と、一部空間３内に配設した排出口４８を有しエアー吸引部３２にて吸引したエアーを、一部空間３を構成する天井１４、床１５及び壁１３の少なくとも１つに這わせてこれらとエアーカーテン４との隙間１６を通して一部空間３外に排出するエアー排出部３３と、吸引口３７と排出口４８との間に設けた空気清浄部３４とを具備する空気清浄機３０と、の組み合わせからなり、空気清浄機３０の排出口４８から一部空間３外へのエアー排出量を少なくともエアーカーテン４による外部巻込エアー量Ｑよりも大となるように設定し、一部空間３内を負圧状態にすると共に喫煙空間９としたものである。
【００１５】
そして、エアー吸引部３２と、エアー排出部３３と、空気清浄部３４とは、空気清浄機３０内に収納され一体構成とされる。従って、図１、２に示す喫煙空間創設システム１は、前記パイプ式エアーカーテン発生機６が２つと、１つの空気清浄機３０との組み合わせからなり、前記一部空間３を囲う手段としてのエアーカーテン４は、２つの壁１３を利用しこの壁１３に隣接して立設した２つのパイプ式エアーカーテン発生機６から水平に吹き出されている。
【００１６】
図３に示す喫煙空間創設システム１は、１つのパイプ式エアーカーテン発生機６と、１つの空気清浄機３０との組み合わせからなり、一部空間３を囲うのに、３つの壁１３を利用し、この壁１３に隣接して立設したパイプ式エアーカーテン発生機６からエアーカーテン４が水平に吹き出されている場合を示し、図４に示す喫煙空間創設システム１は、図３とほぼ同様であるが、空気清浄機３０にパイプ式エアーカーテン発生機６を隣接して立設している点で異なる。図５に示す喫煙空間創設システム１は、一部空間３を囲うのに、天井１４に取り付けたパイプ式エアーカーテン発生機６からエアーカーテン４を垂直方向に吹き下ろす状態を示している。
【００１７】
前記パイプ式エアーカーテン発生機６は、図６に示すように、パイプ２０に吸込口２１及び吹出口５を設けると共にパイプ２０内に送風機２２を設けてなり、パイプ２０の一端、例えば、下部の所定長さに吸込口２１及び吹出口５を設けず、他端、例えば、上部にアジャスター２９（図２参照）を設けている。図６の吹出口５はスリットであるが、その形状は特に限定されず、エアーカーテン４を形成するものであれば良い。この吹出口５は、複数の孔を並べても、更に複数のノズルを並べても良い。いずれにしても、吹出口５がオリフィス板の役目を担って圧力損失の原因になる構造としてはならない。送風機２２はモータ２３の両側に羽根車２４、２４が装設されている。なお、パイプ式エアーカーテン発生機６は、吹出口５のあるパイプ２０に給気管や別置きの送風機（いずれも不図示）のデリバリ側に接続されても差し支えない。
【００１８】
前記吹出口５は、図７、８に示すように、吹出方向を変換出来るようにするため、吹出方向変換装置２５を内蔵していても良い。この吹出方向変換装置２５は、左右方向変換板２６と上下方向変換板２７とを有する。左右方向変換板２６は、図７の実線及び２点鎖線で示すように動かすことにより、その吹出方向を左右に変換できる。上下方向変換板２７は、図８の実線及び２点鎖線で示すように動かすことにより、その吹出方向を上下に変換できる。したがって、その状況に応じて吹出方向変換装置２５を操作して、気流の変化等により喫煙空間９を調整出来る。なお、上下方向変換板２７は、使用頻度が低いことが予想されるから、無くても良い。
【００１９】
図９〜１１に示す空気清浄機３０は、通称分煙機と呼ばれ、その近傍で煙草を吸うとその煙は直ちに吸引清浄化されるものであり、前述のように、清浄機本体３１内にエアー吸引部３２、エアー排出部３３及び空気清浄部３４を組み込み一体構成としたものである。そして、清浄機本体３１は、天板３５とその下面に取り付けられる箱体３６とからなる。
【００２０】
前記エアー吸引部３２は、吸引口３７を有し、この吸引口３７を清浄機本体３１内に配設した送風機３８の吸い込み側に接続することで構成する。このエアー吸引部３２は、竜巻式であり、送風機３８を作動させると、後述の円筒体４０内に竜巻ｔが発生し、この竜巻ｔの有する渦収束性により煙草の煙を直ちに捕集するものである。
【００２１】
すなわち、このエアー吸引部３２は、図１０、１１に示すように、円筒体４０の側壁４１に前記吸引口３７を設けると共に円筒体４０の長手方向両端に吸引孔４２を設け、この吸引孔４２を後述のように前記送風機３８の吸い込み側に接続してなる。この吸引孔４２は側板４３にあけられ、上記形態の円筒体４０が２つあり、これら円筒体４０は吸引口３７を反対にした状態にし、側壁４１を若干離した状態にして側板４３に固定している。更に、円筒体４０の上方にカバー４４を取り付け、円筒体４０とカバー４４との隙間を吸引開口４５とし、この吸引開口４５は天板開口４７を通して送風機３８の吸い込み側に接続している。また、２つの吸引孔４２を覆うカバー４６を側板４３に固定して、カバー４６にて２つの吸引孔４２を天板開口４７を通して送風機３８の吸い込み側に接続している。なお、このエアー吸引部３２の吸引口３７は、パイプ式エアーカーテン発生機６の吹出口５の干渉を避ける意味から、吹出口５から離れた位置、例えば０．６ｍ以上離れた位置となるように、空気清浄機３０を設置するのが良い。
【００２２】
前記エアー排出部３３は、排出口４８を有し、この排出口４８を送風機３８の吐き出し側に接続し、かつガイド４９を設けることで構成する。従って、排出口４８から出た排出エアーはガイド４９により方向性が付与され、床１５に這うてエアーカーテン４が途切れている隙間１６、すなわち、パイプ式エアーカーテン発生機６の下部の所定長さには吸込口２１及び吹出口５を設けていないから、エアーカーテン４に影響されず、隙間１６から直ちに一部空間３外に出る。ガイド４９は図１２の２点鎖線に示す板４９ａを設け、より方向性を付けても良い。
【００２３】
なお、エアー排出部３３の排出口４８から隙間１６を通り一部空間３外に排出するエアー量は、その設置場所の外乱要因となる気流に注意し、その気流により喫煙空間９とした一部空間３内の煙草の煙がエアーカーテン４を突き破り、一部空間３外に出ない程度のものが必要になる。すなわち、一部空間３内の煙がエアーカーテン４外に出ることなく、吸引口３７に誘引されなければならないから、このエアー排気量は、上述のように、エアーカーテン４による外部巻込エアー量Ｑよりも少なくとも大となるように設定しなければならない。この設定状態が保たれれば、喫煙空間９内は負圧状態を保持するが、理想的には外乱要因となる気流を考慮して２Ｑ以上に設定するのがよい。
【００２４】
前記空気清浄部３４は、汚染エアー中の比較的大きな粒子を除去するプレフィルター５０と、プレフィルター５０通過後の微粒子を除去する集塵フィルター５１と、臭気成分を除去する脱臭フィルター５２とからなる。なお、図９、１０中５３はキャスターであり、図１０中５４は灰皿である。
【００２５】
図１３、１４に示す喫煙空間創設システム１は、図１、２に示すものと同様に、２つのパイプ式エアーカーテン発生機６と、１つの空気清浄機３０ａとの組み合わせからなるが、空気清浄機３０ａが天井設置タイプであり、吸引口３７から入った汚染エアーは清浄化され、排出口４８からの排出エアーは天井１４を這って隙間１６から一部空間３外に出て、一部空間３内を負圧状態にし喫煙空間９とするものである。
【００２６】
この空気清浄機３０ａは、分煙機である空気清浄機３０とほぼ同様に、清浄機本体３１ａ内にエアー吸引部３２、エアー排出部３３及び空気清浄部３４（いずれも不図示）を組み込み一体構成としたものであり、その説明を省略する。この空気清浄機３０ａは、煙草の煙を直ちに吸引して清浄化するものではないから、喫煙者といえども他人の煙は嫌なものであることを考えると、図１３、１４の机１１の代わりに分煙機である図９〜１１の空気清浄機３０を設置して、煙を直ちに吸引清浄化しても何ら差し支えない。むしろ一部空間３外に排出されるエアー量が増えるから、一部空間３内の負圧状態がよくなり都合がよい。
【００２７】
次に上記構成になる喫煙空間創設システム１の利用方法につき説明する。
まず、室内３の空きスペースを調査し、その空きスペース毎に天井高、気流状況、隣接するスペースの利用状況等を調査して、その中で喫煙空間創設システム１を最も導入するのに都合のよい壁１３の多い空きスペースを選択する。次に、その空きスペース、すなわち一部空間３を囲うようにパイプ式エアーカーテン発生機６を設置する。気流状況により、パイプ式エアーカーテン発生機６の吹出口５の寸法及び吹き出し風速を決めれば、エアーカーテン風量が決まり、吸引口３７からのエアー吸引量及び排出口４８からのエアー排出量も決まり、エアーの給排出量が決まって、それに見合う送風機３８を選択する。
【００２８】
そして、パイプ式エアーカーテン発生機６の吹出口５からのエアーカーテン４により一部空間３を囲い喫煙空間９とし、送風機３８を作動させると、空気清浄機３０周辺の煙は直ちに吸引口３７から竜巻ｔにより吸引され、空気清浄部３４により清浄化され排出口４８から清浄エアーが排出されるが、その清浄エアーは、図１〜５の喫煙空間創設システム１では、ガイド４９により床１５を這ってエアーカーテン４の下の隙間１６を通り一部空間３外に出て、一部空間３内を負圧状態にする。
【００２９】
また、図１３〜１４の喫煙空間創設システム１では、空気清浄機３０ａにより煙は吸引清浄化され、排出口４８からの清浄エアーが天井１４を這ってエアーカーテン４の上の隙間１６、すなわち、パイプ式エアーカーテン発生機６の上部にはアジャスター２９があるから、エアーカーテン４が形成されず、エアーカーテン４の上の隙間１６を通り一部空間３外に出て、一部空間３内を負圧状態にする。
【００３０】
この際、排出口４８からのエアー排出量を外部巻込エアー量Ｑ以上若しくは２Ｑ以上に設定してあれば、喫煙空間９は良好な負圧状態を現出し、この中で煙草を吸っても煙は外部に漏れることなく吸引口５から吸引排気され、一部空間３外に排出される。特にエアー排出量を２Ｑ以上に設定してあれば、過酷な気流状況にも耐え、煙草を吸わない人や嫌煙者から苦情が来ることがなくなる。
【００３１】
なお、本発明の喫煙空間創設システムは、煙草の煙ばかりか有害ガスを室内の一部空間内に封じ込め、その一部空間外に直接流出しないシステムとして利用出来ることは言うまでもなく、そのような使用は本発明の範囲内である。
【００３２】
【発明の効果】
以上詳述したように、本発明の喫煙空間創設システムによれば、以下のような効果がある。
請求項１の発明は、エアーカーテンの形成機能のみを有するパイプ式エアーカーテン発生機により、これ自身は室内を囲う機能が無く唯一吹出口からのエアーカーテンによって室内の一部空間を囲い、この一部空間内に空気の清浄機能のみを有する空気清浄機を設置し、その排出口からの清浄エアーを天井、床及び壁の少なくとも１つとエアーカーテンとの隙間を通して一部空間外に出し、そのエアー排出量を少なくともエアーカーテンによる外部巻込エアー量よりも大にして、一部空間内を負圧状態に保持し、これを喫煙空間にして煙を流出させず清浄化してから喫煙空間外の室内に出して室内エアーの循環ができ、更に、吹出口の非干渉位置に排出口があるから、エアーカーテンを安定して形成でき、喫煙空間内の煙草の煙が室内の他の空間に出ない。したがって、パイプ式エアーカーテン発生機と空気清浄機との組み合わせにより、空調負荷を増大させることがなく、室内に仕切りを作ったり障害物を設置したりせずに、室内の一部に見通し良く且つ通り抜け自在の喫煙空間を極めて容易に創設できる効果がある。
【００３３】
請求項２の発明は、排出口から一部空間内に排出した清浄エアーを、ガイドにより方向性を付与し、天井、床及び壁の少なくとも１つに這わせてこれらとエアーカーテンとの隙間を通して一部空間外にスムーズに排出する。したがって、上記効果に加えて、一部空間内の負圧状態が安定するから、良い喫煙空間が得られる。
【００３４】
請求項３の発明は、排出口からの清浄エアーを床とエアーカーテンとの隙間から一部空間外に排出することを考慮すれば、空気清浄機を喫煙空間内の床上で自在に移動設置できる。したがって、上記効果に加えて、喫煙空間内での空気清浄機のレイアウトの自由度が上がる。
【００３５】
請求項４の発明は、エアー排気量が多いから、喫煙空間内の負圧状態が安定し、煙草の煙が喫煙空間外の室内に出ない。したがって、上記効果に加えて、喫煙空間内外の気流条件が悪くなっても、煙草の煙が喫煙空間外に出ることがなく、非喫煙空間に煙が流れず迷惑がかからない。
【００３６】
請求項５の発明は、吸込口及び吹出口からエアーを均一に吸い込み吹き出せるから、均一なエアーカーテンを得る。したがって、上記効果に加えて、均一なエアーカーテンだから、確実に一部空間を囲うことが出来、配管が必要なく、別置きの送風機の設置場所の確保なども必要ない。
【００３７】
請求項６の発明は、パイプ式エアーカーテン発生機の設置状況に対応して吹出口の吹き出し方向を変換して、室内の一部空間を囲う。したがって、上記効果に加えて、設置後の気流変化に対応できて、なお一層安定した喫煙空間を得ることが出来る。
【図面の簡単な説明】
【図１】本発明の実施の形態である喫煙空間創設システムを示す平面図。
【図２】図１の矢線Ａ方向から見た側面図。
【図３】本発明の他の実施の形態である喫煙空間創設システムを示す平面図。
【図４】本発明の他の実施の形態である喫煙空間創設システムを示す平面図。
【図５】本発明の他の実施の形態である喫煙空間創設システムを示す側面図。
【図６】本発明の喫煙空間創設システムを構成するパイプ式エアーカーテン発生機の一部を切欠した状態を示す斜視図。
【図７】本発明の他のパイプ式エアーカーテン発生機を示す横断面図。
【図８】本発明の他のパイプ式エアーカーテン発生機を示す縦断面図。
【図９】本発明の喫煙空間創設システムを構成する空気清浄機を示す斜視図。
【図１０】本発明の喫煙空間創設システムを構成する空気清浄機を示す断面図。
【図１１】本発明の空気清浄機のエアー吸引部を示す断面図。
【図１２】本発明の空気清浄機の排出口に接続するガイドを示す斜視図。
【図１３】本発明の他の実施の形態である喫煙空間創設システムを示す平面図。
【図１４】本発明の他の実施の形態である喫煙空間創設システムを示す側面図。
【図１５】従来例を示す側面図
【図１６】従来例を示す斜視図
【符号の説明】
１                      喫煙空間創設システム
２                      室内
３、ｉ                  一部空間
４、ｇ                  エアーカーテン
５                      吹出口
６パイプ式エアーカーテン発生機
９                      喫煙空間
９ａ                    非喫煙空間
１１                    カウンター
１２                    椅子
１３                    壁
１４、ｅ                天井
１５、ｈ                床
１６隙間
２０                    パイプ
２１                    吸込口
２２、ｂ                送風機
２３                    モータ
２４                    羽根車
２５                    吹出方向変換装置
２６                    左右方向変換板
２７                    上下方向変換板
２９                    アジャスター
３０、３０ａ            空気清浄機
３１、３１ａ            清浄機本体
３２                    エアー吸引部
３３                    エアー排出部
３４                    空気清浄部
３５                    天板
３６                    箱体
３７、ｄ                吸引口
４０                    円筒体
４１                    側壁
４２                    吸引孔
４３                    側板
４４、４６              カバー
４５                    吸引開口
４７                    天板開口
４８、ｃ                排出口
４９                    ガイド
４９ａ                  板
５０                    プレフィルター
５１                    集塵フィルター
５２                    脱臭フィルター
５３                    キャスター
５４                    灰皿
Ａ矢線
ａ                      つい立て
ｆ                      吸引ファン
ｊ                      天井部
ｋ                      支柱
Ｑ外部巻込エアー量
【図１】
0003627165.tif 000002
【図２】
0003627165.tif 000003
【図３】
0003627165.tif 000004
【図４】
0003627165.tif 000005
【図５】
0003627165.tif 000006
【図６】
0003627165.tif 000007
【図７】
0003627165.tif 000008
【図８】
0003627165.tif 000009
【図９】
0003627165.tif 000010
【図１０】
0003627165.tif 000011
【図１１】
0003627165.tif 000012
【図１２】
0003627165.tif 000013
【図１３】
0003627165.tif 000014
【図１４】
0003627165.tif 000015
【図１５】
0003627165.tif 000016
【図１６】
0003627165.tif 000017